(57)【要約】【課題】病室内における放射線撮影と当該撮影された放射線画像に対する画像処理とを容易にかつ効率良く行えるようにすること。【解決手段】病棟１００ｂ内の病室やナースステーションなどに撮影オーダ情報と各撮影部位に対応したカセッテのカセッテＩＤ情報とを管理する携帯端末４と撮影オーダ情報が格納されているオーダ情報管理装置１とを仲介すると共に撮影オーダリストを表示する病棟端末６ａ、６ｂを備える。病棟端末６ａ、６ｂは、オーダ情報管理装置１から撮影オーダリスト情報を取得して表示し、撮影オーダ情報をオーダ情報管理装置１に請求して請求元の携帯端末４に当該撮影オーダ情報を送信する。オーダ情報管理装置１は、撮影オーダ情報が送信されたか否か、さらにどの撮影オーダ情報がどの携帯端末４に送信されたかを管理する。【選択図】          図１
2004147909.tif 000002
【特許請求の範囲】
【請求項１】
患者の所定部位を医用撮影して当該撮影画像を撮影パネルに記録する移動自在な医用撮影装置と、
医用撮影する患者の患者識別情報と当該患者の撮影部位情報とを含む撮影オーダ情報を読み出し可能に保持し、入力された読み出し命令に応じて該撮影オーダ情報を外部に送信するオーダ情報管理装置と、
病棟内に複数設置され、病院内の通信ネットワークを介して前記オーダ情報管理装置との間で情報の送受信を行う病棟端末と、
医用撮影が予定されている患者の撮影オーダ情報を前記病棟端末を介して前記オーダ情報管理装置から読み出し、該読み出した情報を表示する携帯端末とを備え、
前記オーダ情報管理装置は、前記撮影オーダ情報から撮影が予定されている撮影オーダリストを作成し、前記病棟端末は、前記撮影オーダリストを前記オーダ情報管理装置からダウンロードして表示することを特徴とする医用画像撮影システム。
【請求項２】
前記病棟端末は、前記撮影オーダリストが表示された表示画面を介して所定撮影オーダ情報の送信指示が入力された場合、当該送信指示に応じて当該撮影オーダ情報をオーダ情報管理装置からダウンロードすることを特徴とする請求項１に記載の医用画像撮影システム。
【請求項３】
オーダ情報管理装置は、前記撮影オーダ情報を前記病棟端末を介して前記携帯端末に送信したか否かに応じて前記撮影オーダリストを更新することを特徴とする請求項１または２に記載の医用画像撮影システム。
【発明の詳細な説明】
【０００１】
【発明の属する技術分野】
本発明は、放射線画像などの医用画像の撮影を行う医用画像撮影システムに関する。
【０００２】
【従来の技術】
近時、医用画像として広く用いられている放射線画像をデジタル画像データとして取得するＣＲ（Ｃｏｍｐｕｔｅｄ  Ｒａｄｉｏｇｒａｐｈｙ）装置などの放射線撮影装置が開発されている。
【０００３】
上記放射線撮影装置には、例えば、輝尽性蛍光体層が形成された放射線画像変換パネル（以下、イメージングプレートという。）が用いられている。このイメージングプレートは、被写体各部の放射線透過度に対応する放射線エネルギーを蓄積し、赤外線等の励起光が照射されることにより当該蓄積した放射線エネルギーを蛍光として放射する。この蛍光による光信号は半導体等の光電変換器により放射線画像信号に光電変換される。このようにして得られた放射線画像は画像処理が施された後にフィルムあるいはＣＲＴ等を介して可視化されたり、データベースに患者情報とともに保存される等して種々の医療行為に利用される。
【０００４】
撮影技師は、病院内や放射線科内の診察情報を管理するＨＩＳ（Ｈｏｓｐｉｔａｌ  Ｉｎｆｏｒｍａｔｉｏｎ  Ｓｙｓｔｅｍ；病院情報システム）やＲＩＳ（Ｒａｄｉｏｒｏｇｙ  Ｉｎｆｏｒｍａｔｉｏｎ  Ｓｙｓｔｅｍ；放射線科情報システム）による撮影オーダ情報に基づき、病院内の放射線撮影室に予め設置された上記放射線撮影装置を用いてＸ線撮影を行う。ここで、撮影オーダ情報の内容は、例えば、患者氏名、患者ＩＤ情報、性別、年齢、病室、依頼科、依頼医師名、撮影部位などである。
【０００５】
特に最近、患者が収容されている病室内でＸ線撮影が行える移動型の放射線撮影装置が実現されている。この移動型放射線撮影装置（以下、医用撮影装置という。）を用いれば、重症により歩行（移動）困難で放射線撮影室まで移動できない患者に対してもＸ線撮影が容易に行える。さらに、病棟の各フロアの所定個所あるいはナースステーション等にカセッテから放射線画像を読み取るための画像情報読取装置が設置されている。この画像情報読取装置を用いれば、撮影技師はフロアを移動することなく撮影結果を容易に確認できる。
【０００６】
ここで、カセッテは輝尽性蛍光体層が形成されたイメージングプレートを備える。すなわち画像情報読取装置は、イメージングプレートの輝尽性蛍光体層から蓄積放射線エネルギーに相当する蛍光を発光させ、当該蛍光を光電変換して放射線画像データを出力する。
また、カセッテあるいはイメージングプレートには、各々固有の識別番号が記されている。この識別番号によりカセッテあるいはイメージングプレートが識別可能となる。
【０００７】
一方、例えば病院内の各端末ＰＣ（Ｐｅｒｓｏｎａｌ  Ｃｏｍｐｕｔｅｒ）に所定の専用画面を表示させ、一定周期で表示内容を更新する技術が特に病院内端末に限らず実現されている（例えば、特許文献１参照。）
【０００８】
【特許文献１】
特開２０００―９９４４１号公報
【０００９】
【発明が解決しようとする課題】
ところで、上記従来技術には次のような問題点がある。上記移動型の放射線撮影装置を用い病室内で放射線撮影を行う場合、撮影技師は、患者および撮影部位毎に、撮影オーダ情報の複数項目のオーダ内容と当該撮影オーダに対して使用するカセッテの番号とを所定のオーダ用紙に予め記入し、当該オーダ用紙（および該当する番号のカセッテ。）を患者が収容されている病室まで持って行き、このオーダ用紙を参照して上記移動型の放射線撮影装置を用いたＸ線撮影を行うと共に上記病棟に設置された画像情報読取装置を用いて当該撮影された放射線画像の読み取りを行う。
このため、撮影オーダ情報が多量で、複数の撮影技師が各々独立に撮影を行うような場合、どの撮影オーダ情報にどの撮影技師が関わっているかなどを確認するのが困難となる。
更に、急患などで突然撮影予定がはいっても、該当する撮影オーダ情報（すなわちオーダ用紙。）がなければ撮影が行えないし、急患などにより他に撮影予定がはいっているのか否かを確認するためには、撮影技師は一々放射線撮影室まで出向いて撮影オーダ情報を確認しオーダ用紙を作成しなければならず不便である。
【００１０】
本発明の課題は、病室内における放射線撮影と当該撮影された放射線画像に対する画像処理とを容易にかつ効率良く行えるようにすることである。
【００１１】
【課題を解決するための手段】
上記課題を解決するため、請求項１記載の発明は、
患者の所定部位を医用撮影して当該撮影画像を撮影パネルに記録する移動自在な医用撮影装置と、
医用撮影する患者の患者識別情報と当該患者の撮影部位情報とを含む撮影オーダ情報を読み出し可能に保持し、入力された読み出し命令に応じて該撮影オーダ情報を外部に送信するオーダ情報管理装置と、
病棟内に複数設置され、病院内の通信ネットワークを介して前記オーダ情報管理装置との間で情報の送受信を行う病棟端末と、
医用撮影が予定されている患者の撮影オーダ情報を前記病棟端末を介して前記オーダ情報管理装置から読み出し、該読み出した情報を表示する携帯端末とを備え、
前記オーダ情報管理装置は、前記撮影オーダ情報から撮影が予定されている撮影オーダリストを作成し、前記病棟端末は、前記撮影オーダリストを前記オーダ情報管理装置からダウンロードして表示することを特徴とする。
【００１２】
請求項１記載の発明によれば、医用撮影装置は、移動自在であり患者の所定部位を医用撮影して当該撮影画像を撮影パネルに記録し、オーダ情報管理装置は、医用撮影する患者の患者識別情報と当該患者の撮影部位情報とを含む撮影オーダ情報を読み出し可能に保持し、入力された読み出し命令に応じて該撮影オーダ情報を外部に送信し、病棟端末は、病棟内に複数設置され、病院内の通信ネットワークを介して前記オーダ情報管理装置との間で情報の送受信を行い、携帯端末は、医用撮影が予定されている患者の撮影オーダ情報を前記病棟端末を介して前記オーダ情報管理装置から読み出し、該読み出した情報を表示し、更に前記オーダ情報管理装置は、前記撮影オーダ情報から撮影が予定されている撮影オーダリストを作成し、前記病棟端末は、前記撮影オーダリストを前記オーダ情報管理装置からダウンロードして表示する。
【００１３】
請求項２記載の発明のように、請求項１記載の発明において、
前記病棟端末は、前記撮影オーダリストが表示された表示画面を介して所定撮影オーダ情報の送信指示が入力された場合、当該送信指示に応じて当該撮影オーダ情報をオーダ情報管理装置からダウンロードするのが好ましい。
【００１４】
さらに、請求項３記載の発明のように、請求項１または２に記載の発明において、
オーダ情報管理装置は、前記撮影オーダ情報を前記病棟端末を介して前記携帯端末に送信したか否かに応じて前記撮影オーダリストを更新するのが好ましい。
【００１５】
したがって、患者および撮影部位毎に複数項目のオーダ内容を複数のオーダ用紙にその都度記入することなく、Ｘ線撮影に係る処理の煩雑化やオーダ用紙に対する誤記入等の不測の事態が回避できる。また、撮影技師が放射線撮影室や複数の病室を行き来する間にオーダ用紙が破損したり紛失する等の事態が回避できる。
更に、病棟端末が病棟の各フロアに少なくとも一台設置されているような場合、撮影技師は各フロアの病棟端末を介して撮影オーダリストを容易に確認可能となるので、フロアを移動して病棟端末を捜す必要がなくなる。更にこの場合、撮影オーダリストを参照して追加撮影オーダを容易に確認し、当該追加の撮影オーダ情報を容易に取得できる。
すなわち、病室内における放射線撮影と当該撮影された放射線画像に対する画像処理が容易にかつ効率良く行える。
【００１６】
【発明の実施の形態】
以下、図を参照して本発明を適用した好ましい一実施の形態について詳細に説明する。
【００１７】
まず、図１を参照して医用画像撮影システム１００の概略構成を説明する。
図１は、医用画像撮影システム１００の概略構成を示すブロック図である。図１に示すように、医用画像撮影システム１００は、放射線撮影室１００ａ内にオーダ情報管理装置１と画像情報読取装置３とを備え、病棟１００ｂ内に医用撮影装置５と、病棟端末６ａ、６ｂと、画像情報読取装置７と、画像処理装置８とを備える。
【００１８】
オーダ情報管理装置１、病棟端末６ａ、６ｂおよび画像処理装置８等は、病院（関連施設を含む。）内に構築されたＬＡＮ（Ｌｏｃａｌ  Ｅｒｅａ  Ｎｅｔｗｏｒｋ）やＷＡＮ（Ｗｉｄｅ  Ｅｒｅａ  Ｎｅｔｗｏｒｋ）等のネットワークＮを介して予約装置２に接続され、相互にデータの送受信が可能となっている。また、放射線撮影室１００ａ内ではオーダ情報管理装置１は画像情報読取装置３に接続され、病棟１００ｂ内では画像処理装置８は画像情報読取装置７に接続されている。携帯端末（ＰＤＡ；ＰｅｒｓｏｎａｌＤｉｇｉｔａｌ  Ａｓｓｉｓｔａｎｔ）４は、ＲＳ―２３２Ｃ、ＩｒＤＡ（Ｉｎｆｒａｒｅｄ  Ｄａｔａ  Ａｓｓｏｃｉａｔｉｏｎ）あるいは無線ＬＡＮを介して病棟端末６ａ、６ｂとの間で接続可能であり、相互にデータの送受信が行える。また、携帯端末４はネットワークＮにも接続可能となっている。
【００１９】
なお、オーダ情報管理装置１および画像情報読取装置３は、放射線撮影室１００ａ内で複数設置可能であり、画像処理装置８および画像情報読取装置７も、病棟１００ｂ内で複数設置可能である（例えば、病棟１００ｂにおける各フロアに設けた専用スペースや、ナースステーション毎に設置可能（何れも図示略。）。）。病棟端末６ａ、６ｂは、病棟１００ｂ内で複数設置可能であり、例えば、病室毎に少なくとも一台の病棟端末６ａ、６ｂ等が設置されるのが好ましい。予約装置２は、診察受付室や各診察室に各々設けられ、携帯端末４は、撮影技師によって携帯されるものであり、複数利用可能となっている。携帯端末４には、それぞれ固有のＩＤ（以下、携帯端末番号といい、例えば、ＰＤＡ＃３９などと表現される。）が割り当てられている。
【００２０】
オーダ情報管理装置１は、画像情報読取装置３を制御してカセッテＡ等の撮影済みカセッテから放射線画像を読み取る。また、オーダ情報管理装置１は、予約装置２を介して入力された撮影オーダ情報を受信すると、当該撮影オーダ情報を撮影オーダ情報ファイル１７１に記録する。また、オーダ情報管理装置１は、画像情報読取装置３、７により読み取られた放射線画像データを画像ＤＢ１７２に格納する。
オーダ情報管理装置１の構成および動作については後に詳述する。
【００２１】
予約装置２は、診察中の医師等が放射線撮影に係る撮影オーダ情報を入力するための入力端末であり、各診察室や診察受付室などに設けられた端末ＰＣがこれに相当する。予約装置２は入力された撮影オーダ情報をオーダ情報管理装置１に送信する。
【００２２】
画像情報読取装置３は、オーダ情報管理装置１による制御に基づいてカセッテＡ等の撮影済みカセッテから放射線画像を読み取る。ここで、カセッテＡは、輝尽性蛍光体層が形成されたイメージングプレート（図示略。）を備える。すなわち画像情報読取装置３は、イメージングプレートの輝尽性蛍光体層から蓄積放射線エネルギーに相当する蛍光を発光させ、当該蛍光を光電変換して放射線画像データを出力する。
ここで、医用撮影された撮影画像を記録する撮影パネルは、カセッテＡあるいは該カセッテＡが具備するイメージングプレートで具現化されている。
【００２３】
また、カセッテＡの表面にはＩＤ情報（以下、カセッテＩＤ情報という。）としてカセッテＡ固有のバーコードが貼付されている。なお、カセッテＡのカセッテＩＤ情報は、カセッテＡの識別が可能であれば、バーコードに限るものではなく、例えば、カセッテＩＤ情報が記録されたＩＣチップを用いるようにしても良い。また、カセッテＩＤ情報のかわりにカセッテが具備するイメージングプレートのＩＤ情報としてのバーコードがイメージングプレート表面に貼付されているような構成であっても良い。
【００２４】
携帯端末４は、上記カセッテＩＤ情報と患者ＩＤ情報とを取得し、当該患者ＩＤ情報が示す患者に係る撮影オーダ情報を病棟端末６ａ、６ｂ等あるいは画像処理装置８から取得すると共に、当該撮影オーダ情報（特に、撮影オーダ情報を識別するためのオーダＩＤ情報。）とカセッテＩＤ情報とを関連付ける。ここで患者ＩＤ情報は、患者のネームプレート、診察カードあるいはカルテ等に印刷されているバーコードによって与えられる。撮影オーダ情報に含まれている患者ＩＤ情報は、このバーコードが表す情報に対応している。
【００２５】
携帯端末４は、当該取得した撮影オーダ情報にカセッテＩＤ情報を付加（関連付け）して病棟端末６ａ、６ｂ等あるいは画像処理装置８に送信する。この場合、携帯端末４がオーダ情報管理装置１から撮影オーダ情報を取得する際に中継する病棟端末６ａ、６ｂあるいは画像処理装置８と、携帯端末４がオーダ情報管理装置１にカセッテＩＤ情報を付加した撮影オーダ情報を送信する際に中継する病棟端末６ａ、６ｂあるいは画像処理装置８とは同一である必要はない。すなわち、携帯端末４は、病棟端末６ａから撮影オーダ情報を取得した場合、カセッテＩＤ情報を付加して当該取得した撮影オーダ情報を病棟端末６ａとは異なる病棟端末６ｂ等あるいは画像処理装置８に送信することが可能である。
【００２６】
なお、携帯端末４は、ＰＤＡなどの携帯型通信端末であれば良く、例えば、携帯電話やノート型ＰＣ等であっても良い。
携帯端末４の構成および動作については後に詳述する。
【００２７】
医用撮影装置５は、病室間さらにはベット間を移動可能な放射線撮影装置であり、カセッテＡを用いて放射線撮影が行われる。
【００２８】
病棟端末６ａ、６ｂは、病棟１００ｂ内の各フロアあるいは病室毎に設置され、複数の携帯端末４との間でデータの送受信が可能である。
病棟端末６ａ、６ｂの構成および動作については後に詳述する。
【００２９】
画像情報読取装置７は、画像情報読取装置３と同様な構成によって成り、病棟１００ｂ内における例えば各フロアあるいはナースステーション毎に設置される。画像処理装置８は、画像情報読取装置７と共に設置され、画像情報読取装置７による画像読取処理を制御する。画像処理装置８は、放射線画像データを表示可能であり、これにより撮影技師はフロアを移動することなく撮影結果を容易に確認可能となる。
【００３０】
次に、図２〜図４を参照してオーダ情報管理装置１、携帯端末４および病棟端末６ａの構成について詳しく説明する。図２は、オーダ情報管理装置１の内部構成を示すブロック図であり、図３は、携帯端末４の内部構成を示すブロック図であり、図４は、病棟端末６ａの内部構成を示すブロック図である。ここで、病棟端末６ｂは病棟端末６ａと同一の構成によって成り、したがって図面および説明簡略化のため病棟端末６ｂの図示および構成説明を省略する。
【００３１】
まず、オーダ情報管理装置１の構成を説明する。
【００３２】
図２に示すように、オーダ情報管理装置１は、制御部１１、入力部１２、表示部１３、Ｉ／Ｆ１４、通信制御部１５、ＲＡＭ１６、記憶部１７、画像処理部１８などを備えて構成され、これら各部はバス１９によって接続されている。
【００３３】
制御部１１は、図示しないＣＰＵ（Ｃｅｎｔｒａｌ  Ｐｒｏｃｅｓｓｉｎｇ  Ｕｎｉｔ）を備え、記憶部１７に格納された各種プログラムを読み出して実行する。制御部１１は、特に、後に詳述する図５のフローチャートに示す情報処理を実行するためのプログラムを記憶部１７から読み出して実行する。
【００３４】
制御部１１は、撮影オーダ情報に基づいて画像情報読取装置３による画像読取処理を制御する。また、制御部１１は、画像情報読取装置３から読み取られた放射線画像データあるいは病棟１００ｂに設置された画像情報読取装置７から読み取られた放射線画像データに対し、当該放射線画像データに係る撮影オーダ情報に記された撮影部位に応じた処理パターン（周波数処理、階調処理、回転処理、拡大・縮小処理などを含む。）を選択して当該処理パターンに基づく画像処理（圧縮・伸張処理を含む。）を画像処理部１８に行わせる。制御部１１は、画像処理部１８によって画像処理された放射線画像データを患者ＩＤ情報あるいは撮影オーダ情報（オーダＩＤ情報）に関連付けて画像ＤＢ１７２に格納する。ここで、上記撮影部位に応じた処理パターン情報は、記憶部１７に予め格納されている。
【００３５】
制御部１１は、必要に応じて撮影オーダ情報ファイル１７１の撮影オーダ情報を更新する。例えば、制御部１１は、病棟端末６ａ、６ｂから、カセッテＩＤ情報が付加された撮影オーダ情報を受信すると、当該撮影オーダ情報ファイル１７１に記録された該当する撮影オーダ情報を当該受信した撮影オーダ情報に更新する。
【００３６】
制御部１１は、撮影オーダ情報ファイル１７１を参照して、これから撮影が予定されている撮影オーダリストを作成して記憶部１７に記憶する。
【００３７】
この撮影オーダリストには、撮影オーダを識別するためのオーダＩＤ情報（例えば、＃０１、＃０２などと表される。）、携帯端末４に送信されたか否か、さらに送信された場合には送信先携帯端末４の携帯端末番号が含まれる。
【００３８】
入力部１２は、カーソルキー、数字入力キーおよび各種機能キーなどを備えたキーボードと、マウスなどのポインティングデバイスを備えて構成され（何れも図示略。）、キーボードに対するキー操作やマウス操作により入力された指示信号を制御部１１に出力する。また、入力部１２は、表示部１３の表示画面に設けられたタッチパネルを備えても良く、このタッチパネルを介して入力された指示信号を制御部１１に出力する。
【００３９】
表示部１３は、ＬＣＤ（Ｌｉｑｕｉｄ  Ｃｒｙｓｔａｌ  Ｄｉｓｐｌａｙ）やＣＲＴ（Ｃａｔｈｏｄｅ  Ｒａｙ  Ｔｕｂｅ）などを備え、制御部１１による表示制御信号に応じて各種表示用データを表示する。
【００４０】
Ｉ／Ｆ１４は、オーダ情報管理装置１と画像情報読取装置３とをデータの送受信が可能となるように接続するためのインターフェースである。
【００４１】
通信制御部１５は、ＬＡＮボード、ルータあるいはＴＡ（Ｔｅｒｍｉｎａｌ  Ａｄａｐｔｅｒ）などにより構成され（何れも図示略。）、ネットワークＮに接続された各装置との間で行われる通信を制御する。
【００４２】
ＲＡＭ（Ｒａｎｄｏｍ  Ａｃｃｅｓｓ  Ｍｅｍｏｒｙ）１６は、制御部１１によって記憶部１７から読み出された各種プログラムを実行可能に展開して格納する。また、ＲＡＭ１６は、制御部１１によるプログラム実行時に生じる各種データを一時的に格納する。
【００４３】
記憶部１７は、ＨＤＤ（Ｈａｒｄ  Ｄｉｓｃ  Ｄｒｉｖｅ）などの書き込み自在な不揮発性の半導体メモリにより構成され、各種プログラムおよび各種データを格納する。記憶部１７は、特に、後に詳述する図５のフローチャートに示す情報処理を実行するためのプログラムを格納する。さらに記憶部１７は、撮影部位に応じた画像処理を行うための処理パターンを複数格納する。
【００４４】
記憶部１７は、制御部１１により作成された上記撮影オーダリスト情報を記憶する。
【００４５】
記憶部１７は、撮影オーダ情報ファイル１７１、画像ＤＢ１７２を備える。撮影オーダ情報ファイル１７１は、予約装置２を介して入力された撮影オーダ情報を記録し、画像ＤＢ１７２は、オーダ情報管理装置１（あるいは画像処理装置８。）において画像処理された放射線画像データを患者ＩＤ情報あるいは撮影オーダ情報と関連付けて記憶する。
【００４６】
記憶部１７は、各種プログラムおよび各種データが予め格納された記録媒体（図示略。）を備えるような構成であっても良い。この記録媒体は、記憶部１７に固定的あるいは着脱自在に設けられ、磁気的記録媒体、光学的記録媒体あるいは半導体メモリで構成された不揮発性メモリである。
【００４７】
画像処理部１８は、制御部１１による制御に基づいて、画像情報読取装置３から読み取られた放射線画像データあるいは病棟１００ｂに設置された画像情報読取装置７から読み取られた放射線画像データに対し、当該放射線画像データに係る撮影オーダ情報に記された撮影部位に応じた上記処理パターンに基づく画像処理（圧縮・伸張処理を含む。）を行う。
【００４８】
次に、携帯端末４の構成について説明する。
図３に示すように、携帯端末４は、制御部４１、入力部４２、表示部４３、読取部４４、ＲＡＭ４５、記憶部４６、Ｉ／Ｆ４７などを備えて構成され、これら各部はバス４８によって接続されている。
【００４９】
制御部４１は、図示しないＣＰＵを備え、記憶部４６に格納された各種プログラムを読み出して実行する。制御部４１は、特に、後に詳述する図６のフローチャートに示す情報処理を実行するためのプログラムを記憶部４６から読み出して実行する。
【００５０】
制御部４１は、病棟端末６ａ、６ｂに情報を送信する際には、携帯端末４の携帯端末番号も併せて送信する。
【００５１】
入力部４２は、カーソルキー、数字入力キーおよび各種機能キーなどを備えて構成され（何れも図示略。）、これら各種キーに対するキー操作により入力された指示信号を制御部４１に出力する。また、入力部４２は、表示部４３の表示画面に設けられたタッチパネルを備えても良く、このタッチパネルを介して入力された指示信号を制御部４１に出力する。
【００５２】
表示部４３は、図示しないＬＣＤを備え、制御部４１による表示制御信号に応じて各種表示用データを表示する。表示部４３は、特に、病棟端末６ａ、６ｂ等あるいは画像処理装置８から取得した撮影オーダ情報を表示する。
【００５３】
読取部４４は、図示しないバーコード読取器を備え、当該バーコード読取器から読み取ったバーコード情報を制御部４１に出力する。
【００５４】
ＲＡＭ４５は、制御部４１によって記憶部４６から読み出された各種プログラムを実行可能に展開して格納する。また、ＲＡＭ４５は、制御部４１によるプログラム実行時に生じる各種データ（例えば、読取部４４を介して読み取られた患者ＩＤ情報やカセッテＩＤ情報および撮影オーダ情報など。）を一時的に格納する。
【００５５】
記憶部４６は、ＨＤＤなどの不揮発性の半導体メモリにより構成され（いずれも図示略。）、各種プログラムおよび各種データを格納する。記憶部４６は、特に、後に詳述する図６のフローチャートに示す報処理を実行するためのプログラムを格納する。
【００５６】
記憶部４６は、各種プログラムおよび各種データが予め格納された記録媒体（図示略。）を備えるような構成であっても良い。この記録媒体は、記憶部４６に固定的あるいは着脱自在に設けられ、磁気的記録媒体、光学的記録媒体あるいは半導体メモリで構成された不揮発性メモリである。
【００５７】
Ｉ／Ｆ４７は、携帯端末４と病棟端末６ａ、６ｂとを接続するためのＲＳ―２３２Ｃ、ＩｒＤＡあるいは無線ＬＡＮなどに対応したインターフェースである。
【００５８】
次に、病棟端末６ａの構成について説明する。
図４に示すように、病棟端末６ａは、制御部６１、入力部６２、表示部６３、通信制御部６４、ＲＡＭ６５、記憶部６６、Ｉ／Ｆ６７を備えて構成され、これら各部はバス６８によって接続されている。
【００５９】
制御部６１は、図示しないＣＰＵを備え、記憶部６５に格納された各種プログラムを読み出して実行する。制御部６１は、特に、後に詳述する図７のフローチャートに示す情報処理を実行するためのプログラムを記憶部６５から読み出して
実行する。
【００６０】
制御部６１は、オーダ情報管理装置１から撮影オーダリスト情報をダウンロードして表示部６３に表示する（図８（ａ）に示す表示画面６３１を参照。）。制御部６１は、この撮影オーダリスト情報を予め設定された周期毎に更新するが、表示画面６３１の図中符号Ａ３に示す入力ボタン（撮影オーダリストを最新内容に更新するための入力ボタン。）がオンされると、オーダ情報管理装置１から最新の撮影オーダリスト情報をダウンロードして表示する。
【００６１】
制御部６１は、携帯端末４から撮影予定の患者ＩＤ情報（さらに、携帯端末４の携帯端末番号情報。）を受信すると、当該患者ＩＤに該当する（すなわち患者ＩＤ情報を含む。）撮影オーダ情報をオーダ情報管理装置１からダウンロードする。この場合、制御部６１は、表示画面６３１に表示された撮影オーダリストから特定撮影オーダ情報の詳細表示を請求する指示があった場合には、当該請求撮影オーダ情報が詳細表示用である旨を示す情報も併せてオーダ情報管理装置１に送信する。
【００６２】
制御部６１は、表示部６３に表示された撮影オーダリストのうち、マウスやキーボードあるいはタッチパネルなどから指定された撮影オーダ情報をオーダ情報管理装置１からダウンロードして現在接続中の携帯端末４に送信する。この場合、制御部６１は、撮影オーダ情報をどの携帯端末４に送信したかを記録するため当該送信先携帯端末４の携帯端末番号情報をオーダ情報管理装置１に送信する。
【００６３】
入力部６２は、カーソルキー、数字入力キーおよび各種機能キーなどを備えたキーボードと、マウスなどのポインティングデバイスを備えて構成され（何れも図示略。）、キーボードに対するキー操作やマウス操作により入力された指示信号を制御部６１に出力する。また、入力部６２は、表示部６３の表示画面に設けられたタッチパネルを備えても良く、このタッチパネルを介して入力された指示信号を制御部６１に出力する。
【００６４】
表示部６３は、図示しないＬＣＤやＣＲＴなどを備え、制御部６１による表示制御信号に応じて撮影オーダリストなどの各種表示用データを表示する。
【００６５】
ＲＡＭ６４は、制御部６１によって記憶部６５から読み出された各種プログラムを実行可能に展開して格納する。また、ＲＡＭ６４は、制御部６１によるプログラム実行時に生じる各種データを一時的に格納する。
【００６６】
記憶部６５は、ＨＤＤなどの不揮発性の半導体メモリにより構成され（図示略。）、各種プログラムおよび各種データを格納する。記憶部６５は、特に、後に詳述する図７のフローチャートに示す情報処理を実行するためのプログラムを格納する。
【００６７】
記憶部６５は、各種プログラムおよび各種データが予め格納された記録媒体（図示略。）を備えるような構成であっても良い。この記録媒体は、記憶部６５に固定的あるいは着脱自在に設けられ、磁気的記録媒体、光学的記録媒体あるいは半導体メモリで構成された不揮発性メモリである。
【００６８】
通信制御部６６は、ＬＡＮボード、ルータあるいはＴＡ（Ｔｅｒｍｉｎａｌ  Ａｄａｐｔｅｒ）などにより構成され（何れも図示略。）、ネットワークＮに接続された各装置との間で行われる通信を制御する。
【００６９】
Ｉ／Ｆ６７は、病棟端末６ａと携帯端末４とを接続するためのＲＳ―２３２Ｃ、ＩｒＤＡあるいは無線ＬＡＮなどに対応したインターフェースである。
【００７０】
次に、図５〜図７を参照してオーダ情報管理装置１、携帯端末４および病棟端末６ａの動作を説明する。
図５は、オーダ情報管理装置１によって行われる情報処理を説明するフローチャートであり、図６は、携帯端末４によって行われる情報処理を説明するフローチャートであり、図７は、病棟端末６ａによって行われる情報処理を説明するフローチャートである。なお、病棟端末６ｂの動作は病棟端末６ａと同様であり、説明簡略化のため病棟端末６ｂの動作についての説明を省略する。
【００７１】
まず、オーダ情報管理装置１の動作を説明する。
制御部１１は、予約装置２を介して新規の撮影オーダ情報を受信すると（ステップＳ１０）、当該新規撮影オーダ情報を撮影オーダ情報ファイル１７１に記録する（ステップＳ１１）。
【００７２】
制御部１１は、ステップＳ１０の段階で受信した撮影オーダ情報に基づいて撮影オーダリストを更新する（ステップＳ１２）。
【００７３】
制御部１１は、病棟端末６ａ、６ｂから撮影オーダ情報（撮影オーダ情報のオーダＩＤ情報、詳細表示用であるか否かを示す情報、請求元の携帯端末４の携帯端末番号情報。）の送信請求を受信すると（ステップＳ１３）、当該送信請求が病棟端末６ａ、６ｂに詳細表示（図８（ｂ）に示す表示画面６３２を参照。）するためのものか否かを判定し（ステップＳ１４）、詳細表示用であれば（ステップＳ１４；Ｙｅｓ）ステップＳ１６に移行する。
【００７４】
ステップＳ１４の段階で、送信請求された撮影オーダ情報が詳細表示用でなければ（ステップＳ１４；Ｎｏ）、制御部１１は、当該撮影オーダ情報は携帯端末４に送信するために送信請求されたものであると判定し、この撮影オーダ情報が既に携帯端末４に送信されたか否かを撮影オーダリストを参照して判定する（ステップＳ１５）。
【００７５】
制御部１１は、ステップＳ１５の段階で、当該送信請求された撮影オーダ情報が既に携帯端末４に送信された場合（ステップＳ１５；Ｙｅｓ）には処理を終了し、携帯端末４には未だ送信されていない場合には（ステップＳ１５；Ｎｏ）当該請求された撮影オーダ情報を撮影オーダ情報ファイル１７１から検索して病棟端末６ａ、６ｂに送信する（ステップＳ１６、ステップＳ１７）。
【００７６】
ステップＳ１７の後、送信された撮影オーダ情報が詳細表示用のものでない場合、制御部１１は、当該撮影オーダ情報の送信に伴い撮影オーダリストを更新する。すなわち、制御部１１は、撮影オーダリストに対して、送信した撮影オーダ情報のオーダＩＤ情報に付随させて送信先の携帯端末４の携帯端末番号を記録する（ステップＳ１８）。
【００７７】
また、制御部１１は、病棟端末６ａ、６ｂから、カセッテＩＤ情報が付加された撮影オーダ情報を受信すると、撮影オーダ情報ファイル１７１内の該当する撮影オーダ情報を当該受信したカセッテＩＤ情報が付加された撮影オーダ情報に更新する（ステップＳ１９）。
【００７８】
次に、携帯端末４の動作を説明する。
制御部４１は、読取部４４を介して放射線撮影を行う患者の患者ＩＤ情報を取得すると（ステップＳ２０）、現在接続中の例えば病棟端末６ａに対し、当該患者ＩＤ情報（さらに、携帯端末４の携帯端末番号情報。）を送信し、この患者の撮影オーダ情報を請求する（ステップＳ２１）。
【００７９】
制御部４１は、ステップＳ２１で請求した撮影オーダ情報を病棟端末６ａから受信すると（ステップＳ２２）、当該受信した撮影オーダ情報を表示部４３に表示する（ステップＳ２３）。
【００８０】
制御部４１は、ステップＳ２２で受信された撮影オーダ情報に記されている撮影部位に対し、読取部４４を介してカセッテＡのカセッテＩＤ情報（バーコード）を読み取り、当該読み取ったカセッテＩＤ情報を当該撮影部位に対応付けてＲＡＭ４５に記憶する（ステップＳ２４）。
【００８１】
当該撮影オーダ情報に記されている撮影部位が他にある場合（ステップＳ２５；Ｙｅｓ）、制御部４１は、ステップＳ２４に戻り当該他の撮影部位に対してカセッテＡと異なる他のカセッテのカセッテＩＤ情報（バーコード）を読取部４４を介して読み取り、当該読み取ったカセッテＩＤ情報を当該撮影部位に対応付けてＲＡＭ４５に記憶する。制御部４１は、撮影オーダ情報に記されている撮影部位の数だけステップＳ２４の処理を繰り返す。
【００８２】
カセッテの登録が終了すると（ステップＳ２５；Ｎｏ）、他に放射線撮影を行う患者がいる場合（ステップＳ２６；Ｙｅｓ）には、制御部４１は、ステップＳ２０に移行して、当該他の患者に対しても、放射線撮影を行う患者の数だけステップＳ２０〜Ｓ２５の各処理を繰り返す。
【００８３】
患者およびカセッテ登録が終了すると（ステップＳ２６；Ｎｏ）、制御部４１は、撮影オーダ情報と撮影部位毎に登録したカセッテＩＤ情報とを併せて新たな撮影オーダ情報として病棟端末（例えば病棟端末６ｂ。）に送信する。
【００８４】
次に、病棟端末６ａの動作を説明する。ここで、病棟端末６ａには携帯端末４が接続されているものとする。
【００８５】
制御部６１は、入力部６２から撮影技師などにより入力された指示に応じてオーダ情報管理装置１に対し撮影オーダリストを請求すると（ステップＳ３０）、当該撮影オーダリスト情報がオーダ情報管理装置１から送信される。制御部６１は、受信した撮影オーダリストを表示部６３の表示画面（図８（ａ）に示す表示画面６３１を参照。）に表示する（ステップＳ３１）。
【００８６】
その後、制御部６１は、撮影オーダリストが表示された表示画面６３１上で、特定の撮影オーダ情報に対し詳細情報の閲覧が指定（以下、詳細請求という。）されたか、すなわち、マウスあるいはタッチパネルを介して図８の図中符号Ａ１に示す入力ボタン（詳細請求を指示するボタン。）がオンされたか否かを監視する（ステップＳ３２）。
【００８７】
ステップＳ３２の段階で、詳細請求された場合（ステップＳ３２）、制御部６１は、詳細請求された撮影オーダ情報のオーダＩＤ情報と詳細請求である旨を示す情報とをオーダ情報管理装置１に送信して、当該撮影オーダ情報をオーダ情報管理装置１からダウンロードして表示する（ステップＳ３３、Ｓ３４）、その後、ステップＳ３２に移行してさらに詳細請求があるか否かを監視する。この撮影オーダ情報の表示例を図８（ｂ）の表示画面６３２に示す。
【００８８】
ステップＳ３２の段階で、詳細請求されていない場合（ステップＳ３２；Ｎｏ）、制御部６１は、携帯端末４（この携帯端末４は現在病棟端末６ａに接続中。）への送信用に撮影オーダ情報が請求されたか否かを監視する（ステップＳ３３）。すなわち、制御部６１は、携帯端末４から患者ＩＤ情報（さらに携帯端末４の携帯端末番号情報。）を受信して当該患者ＩＤ情報を含む撮影オーダ情報を当該携帯端末４から請求されたか否か、あるいは図８（ａ）の撮影オーダリストの表示画面６３１の図中符号Ａ２に示す入力ボタン（請求する撮影オーダ情報を指定するボタン。）がマウスやタッチパネルを介してオンされたか否かを監視する。
【００８９】
ステップＳ３５の段階で、撮影オーダ情報が請求されていない場合（ステップＳ３５；Ｎｏ）、制御部６１は現在実行中の処理を終了する指示が入力されたか否かを判定し（ステップＳ３６）、終了指示が入力されていない場合には（ステップＳ３６；Ｎｏ）ステップＳ３２に移行し、終了指示が入力された場合には（ステップＳ３６；Ｙｅｓ）現在実行中の処理を終了する。
【００９０】
ステップＳ３５の段階で、撮影オーダ情報が請求された場合（ステップＳ３５；Ｙｅｓ）、制御部６１は、請求された撮影オーダ情報請求を請求元の携帯端末４の携帯端末番号情報と共にオーダ情報管理装置１に送信する（ステップＳ３７）。
【００９１】
制御部６１は、請求した撮影オーダ情報をオーダ情報管理装置１からダウンロードすると（ステップＳ３８）、当該撮影オーダ情報を請求元の携帯端末４に送信する（ステップＳ３９）。
【００９２】
また、制御部６１は、携帯端末４からカセッテＩＤ情報が付加された撮影オーダ情報を受信すると（ステップＳ４０）、当該撮影オーダ情報をオーダ情報管理装置１にアップロードする（ステップＳ４１）。
【００９３】
以上説明したように、病室内で放射線撮影が行える医用画像撮影システム１００は、病棟１００ｂ内の病室やナースステーションなどに、撮影オーダ情報と各撮影部位に対応したカセッテのカセッテＩＤ情報とを管理する携帯端末４と、撮影オーダ情報が格納されているオーダ情報管理装置１とを仲介すると共に撮影オーダリストを表示する病棟端末６ａ、６ｂを備える。病棟端末６ａ、６ｂは、携帯端末４から撮影オーダ情報の請求があった場合、当該撮影オーダ情報をオーダ情報管理装置１からダウンロードして携帯端末４に送信し、携帯端末４からカセッテＩＤ情報が付加された撮影オーダ情報が送信された場合には、当該カセッテＩＤ情報が付加された撮影オーダ情報をオーダ情報管理装置１にアップロードする。更に病棟端末６ａ、６ｂは、オーダ情報管理装置１から撮影オーダリスト情報を取得して表示し、この撮影オーダリストの表示画面６３１を介して撮影オーダ情報をオーダ情報管理装置１に請求して請求元の携帯端末４に当該撮影オーダ情報を送信する。オーダ情報管理装置１は、撮影オーダ情報が送信されたか否か、さらにどの撮影オーダ情報がどの携帯端末４に送信されたかを管理する。
【００９４】
従って、病室で放射線撮影が行われる場合、紙によるオーダ用紙を用いることなく、携帯端末４を用いて撮影部位とカセッテとの対応付けが容易に行える。一旦、撮影部位とカセッテとの対応付けが行われれば、カセッテＩＤ情報が撮影オーダ情報に付加されてオーダ情報管理装置１の撮影オーダ情報ファイル１７１に格納される。これにより、撮影技師がオーダ用紙を参照しながら画像の読み取りを行うカセッテを選択したり必要なデータを手入力することなく、カセッテからの画像読取処理および画像処理がこの撮影オーダ情報に基づいて自動的かつ好適に行われる。しかも、撮影技師など人為的な操作によって引き起こされる不測の事態が回避可能となり、安全性の向上が図られる。
更に、各病室やナースステーションなどにはネットワークＮに接続された病棟端末６ａ、６ｂが設置され、携帯端末４は、どの病棟端末６ａ、６ｂにも接続してデータの送受信が可能となっているので、撮影技師は、接続可能な病棟端末を捜し歩くことなく、近くの病棟端末から携帯端末４を介して撮影オーダ情報を容易に取得できると共にカセッテＩＤ情報が付加された撮影オーダ情報をオーダ情報管理装置１に容易に戻すことができる。これにより、どのカセッテがどの患者のどの撮影部位の撮影で使用されているかの情報がリアルタイムで病院全体で共有可能となる。更に、撮影技師は、カセッテを画像情報読取装置７に装着して画像読取処理を開始させるだけで、画像処理装置８を介して撮影結果を短時間のうちに確認可能となるので、撮影のやり直しが必要か否かが即座に判断できる。
更に、撮影オーダ情報を取得した携帯端末４の携帯端末番号情報がオーダ情報管理装置１により管理されているので、異なる携帯端末４に対し同一の撮影オーダ情報を送信するという事態が回避できる。
すなわち、本発明を適用した医用画像撮影システム１００によれば、病室内における放射線撮影と当該撮影された放射線画像に対する画像処理を容易にかつ効率良く行える。
【００９５】
なお、本実施の形態における記述は、本発明に係る医用画像撮影システムの一例を示すものであり、これに限定されるものではない。本実施の形態における医用画像撮影システム１００の細部構成および詳細動作に関しては、本発明の趣旨を逸脱しない範囲で適宜変更可能である。
【００９６】
例えば、オーダ情報管理装置１より作成される撮影オーダーリストは、ＨＴＭＬ（ＨｙｐｅｒＴｅｘｔ  Ｍａｒｋｕｐ  Ｌａｎｇｕａｇｅ）形式などブラウザ（Ｗｏｒｌｄ  Ｗｉｄｅ  Ｗｅｂ  Ｂｒｏｗｓｅｒ）表示可能なデータであっても良い。この場合、図８（ａ）、図８（ｂ）に表示された表示画面６３１、６３２は、所定ブラウザを介して表示されたＨＴＭＬ画面となる。
【００９７】
【発明の効果】
本発明によれば、患者および撮影部位毎に複数項目のオーダ内容を複数のオーダ用紙にその都度記入することなく、Ｘ線撮影に係る処理の煩雑化やオーダ用紙に対する誤記入等の不測の事態が回避できる。また、撮影技師が放射線撮影室や複数の病室を行き来する間にオーダ用紙が破損したり紛失する等の事態が回避できる。
更に、病棟端末が病棟の各フロアに少なくとも一台設置されているような場合、撮影技師は各フロアの病棟端末を介して撮影オーダリストを容易に確認可能となるので、フロアを移動して病棟端末を捜す必要がなくなる。更にこの場合、撮影オーダリストを参照して追加撮影オーダを容易に確認し、当該追加の撮影オーダ情報を容易に取得できる。
すなわち、病室内における放射線撮影と当該撮影された放射線画像に対する画像処理が容易にかつ効率良く行える。
【図面の簡単な説明】
【図１】本発明を適用した医用画像撮影システムの概略構成を示すブロック図である。
【図２】図１に示す放射線撮影室内のオーダ情報管理装置の内部構成を示すブロック図である。
【図３】図１に示す携帯端末の内部構成を示すブロック図である。
【図４】図１に示す病棟端末の内部構成を示すブロック図である。
【図５】図１に示す放射線撮影室内のオーダ情報管理装置による情報処理を説明するフローチャートである。
【図６】図１に示す携帯端末による情報処理を説明するフローチャートである。
【図７】図１に示す病棟端末による情報処理を説明するフローチャートである。
【図８】（ａ）は、図４に示す表示装置に表示された撮影オーダリストの表示画面の一例を示す図であり、（ｂ）は、撮影オーダ情報の詳細表示の表示画面の一例を示す図である。
【符号の説明】
１  オーダ情報管理装置
２  予約装置
３  画像情報読取装置
４  携帯端末
５  医用撮影装置
６ａ、６ｂ  病棟端末
７  画像情報読取装置
８  画像処理装置
１１  制御部
１２  入力部
１３  表示部
１４  Ｉ／Ｆ
１５  通信制御部
１６  ＲＡＭ
１７  記憶部
１８  画像処理部
１９  バス
４１  制御部
４２  入力部
４３  表示部
４４  読取部
４５  ＲＡＭ
４６  記憶部
４７  Ｉ／Ｆ
４８  バス
６１  制御部
６２  入力部
６３  表示部
６４  ＲＡＭ
６  記憶部
６６  通信制御部
６７  Ｉ／Ｆ
６８  バス
１００  医用画像撮影システム
１００ａ  放射線撮影室
１００ｂ  病棟
１７１  撮影オーダ情報ファイル
１７２  画像ＤＢ
【図１】
2004147909.tif 000003
【図２】
2004147909.tif 000004
【図３】
2004147909.tif 000005
【図４】
2004147909.tif 000006
【図５】
2004147909.tif 000007
【図６】
2004147909.tif 000008
【図７】
2004147909.tif 000009
【図８】
2004147909.tif 000010